(57)【要約】  情報提示装置（１０）は、少なくとも１つ以上の認識結果候補を取得し、取得した認識結果候補の中から、最も確からしい認識結果候補を強調して提示する認識結果提示部（１０２）と、強調して提示されている認識結果候補に対応する検索結果候補を取得し、取得した検索結果候補の中から、強調して提示されている認識結果候補に最も近いと予測される検索結果候補の１つを強調して提示する検索結果提示手段（１０４）と、強調して提示されている検索結果候補が切り替わる際に、切り替わる前の検索結果候補から切り替わった後の検索結果候補に移動する過程を表示する移動過程表示手段（１０６）とを有する。
2013145505.tif 000002
【特許請求の範囲】
【請求項１】
少なくとも１つ以上の認識結果候補を取得し、取得した前記認識結果候補の中から、最も確からしい前記認識結果候補を強調して提示する認識結果提示手段と、
強調して提示されている前記認識結果候補に対応する検索結果候補を取得し、取得した前記検索結果候補の中から、強調して提示されている前記認識結果候補に最も近いと予測される前記検索結果候補の１つを強調して提示する検索結果提示手段と、
強調して提示されている前記検索結果候補が切り替わる際に、切替前の前記検索結果候補から切替後の前記検索結果候補に移動する過程を表示する移動過程表示手段とを有する情報提示装置。
【請求項２】
請求項１に記載の情報提示装置において、
前記認識結果提示手段は、
前記認識結果候補に含まれる前記認識結果候補の確からしさを示す指標、または、ユーザの入力に基づき、最も確からしい前記認識結果候補を選択する情報提示装置。
【請求項３】
請求項１または２に記載の情報提示装置において、
前記移動過程表示手段は、
前記検索結果候補が提示されている領域で、強調して提示する前記検索結果候補を順次移動させることにより、前記検索結果候補が移動する過程を表示する情報提示装置。
【請求項４】
請求項１〜３のいずれか一項に記載の情報提示装置において、
前記検索結果提示手段は、
強調して提示されている前記認識結果候補と前記検索結果候補との距離を示す第１の距離を、前記検索結果ごとに算出し、前記第１の距離が最も近い前記検索結果候補を強調して提示する情報提示装置。
【請求項５】
請求項１〜４のいずれか一項に記載の情報提示装置において、
前記移動過程表示手段は、
現在強調して提示している前記検索結果候補と、前記認識結果候補の変化に応じて次に強調して提示する前記検索結果候補との距離を示す第２の距離を算出し、前記第２の距離に応じて前記検索結果候補間の移動速度を変更する情報提示装置。
【請求項６】
請求項１〜５のいずれか一項に記載の情報提示装置において、
前記認識結果提示手段は、
前記認識結果候補の確からしさを示す指標に基づき、前記認識結果候補の提示順序を決定し、
前記検索結果提示手段は、
辞書順に基づき、前記検索結果候補の提示順序を決定する情報提示装置。
【請求項７】
コンピュータが、
少なくとも１つ以上の認識結果候補を取得し、取得した前記認識結果候補の中から、最も確からしい前記認識結果候補を強調して提示し、
強調して提示されている前記認識結果候補に対応する検索結果候補を取得し、取得した前記検索結果候補の中から、強調して提示されている前記認識結果候補に最も近いと予測される前記検索結果候補の１つを強調して提示し、
強調して提示されている前記検索結果候補が切り替わる際に、切替前の前記検索結果候補から切替後の前記検索結果候補に移動する過程を表示することを含む情報提示方法。
【請求項８】
コンピュータに、
少なくとも１つ以上の認識結果候補を取得し、取得した前記認識結果候補の中から、最も確からしい前記認識結果候補の１つを強調して提示する機能、
強調して提示されている前記認識結果候補に対応する検索結果候補を取得し、取得した前記検索結果候補の中から、強調して提示されている前記認識結果候補に最も近いと予測される前記検索結果候補の１つを強調して提示する機能、
強調して提示されている前記検索結果候補が切り替わる際に、切替前の前記検索結果候補から切替後の前記検索結果候補に移動する過程を表示する機能を実現させるための情報提示用プログラム。
【発明の詳細な説明】
【技術分野】
【０００１】
本発明は情報提示装置、情報提示方法および情報提示用プログラムに関係し、特に音声認識を利用した単語入力装置、単語入力方法および単語入力用プログラムに関する。
【背景技術】
【０００２】
電子辞書や駅名・住所・人名入力などの単語あるいはフレーズを入力するシステムにおける入力方法として、キー入力による入力時の手間を省くために音声認識を利用する方法がある。【０００３】
音声認識を利用して入力を行う音声入力装置の一例が、特許文献１に記載されている。特許文献１に記載の音声入力装置は、ある順序関係で単語を順序づけして記憶する単語入力用辞書と、キーと対応づけられて上述した順序関係をもとに認識する認識単語の部分集合が定義された音声認識用辞書と、キー入力手段で入力されたキーと入力された音声に対しキーに対応した認識単語の部分集合を利用して入力された音声を認識し認識結果候補を出力する音声認識手段と、認識結果候補の単語一覧を表示手段に表示する認識候補表示手段と、認識結果候補の認識単語の中の一つがキー入力手段を介して選択されたときに、選択された認識単語に対応する単語入力用辞書内の単語の順序関係において近傍の単語を表示手段に表示し、表示された１つまたは複数の単語集合の先頭からの共通部分を確定し、非共通部分の最初の１つまたは複数の文字を、キー入力手段を再度用いて受け付け、表示された単語集合を再帰的に部分集合に絞り込んで表示する検索辞書単語表示手段から構成されている。【０００４】
特許文献１に記載の音声入力装置は、次のように動作する。すなわち、マイクオンのキー入力に対して処理をスタートし、マイクロフォンが入力音声を入力する。音声認識部が、入力された音声を認識辞書により音声認識し、認識結果の候補を出力する。そして、認識候補表示部が、音声認識の結果として得られる認識結果の候補を表示装置に表示する。そして、ユーザがキー入力装置を用いて候補選択のためのキー入力を行う。さらに、ユーザが、キー入力の結果として表示された候補のうち一つを選択すると、検索辞書単語表示部は、選択された候補と、五十音順でその候補の前後に位置する単語とを検索辞書から選択して、検索辞書単語（検索結果）として表示装置に表示する。そして、表示された検索辞書単語のうち一つを、ユーザがキー入力装置から単語選択のためのキー入力をして選択する。
【先行技術文献】
【特許文献】
【０００５】
【特許文献１】特許第４６２２８６１号公報
【発明の概要】
【発明が解決しようとする課題】
【０００６】
特許文献１を例とする音声入力装置は、認識結果の候補がユーザのキー入力によって選択された場合に、選択された候補および五十音順でその前後の単語を検索辞書から選択して表示していた。しかしながら、本発明者は、認識結果候補と検索辞書単語との関係をユーザに直感的に提示するための表示方法について、工夫する必要があると考えた。【０００７】
本発明の目的は、認識結果候補と検索辞書単語との関係をユーザに直感的に提示する情報提示装置、情報提示方法、および情報提示用プログラムを提供することにある。
【課題を解決するための手段】
【０００８】
本発明によれば、
少なくとも１つ以上の認識結果候補を取得した後、最も確からしい前記認識結果候補を強調して提示する認識結果提示手段と、
強調して提示されている前記認識結果候補に対応する検索結果候補を取得した後、強調して提示されている前記認識結果候補に最も近いと予測される前記検索結果候補の１つを強調して提示する検索結果提示手段と、
強調して提示されている前記検索結果候補が切り替わる際に、切替前の前記検索結果候補から切替後の前記検索結果候補に移動する過程を表示する移動過程表示手段とを有する情報提示装置が提供される。【０００９】
本発明によれば、
コンピュータが、
少なくとも１つ以上の認識結果候補を取得した後、最も確からしい前記認識結果候補を強調して提示し、
強調して提示されている前記認識結果候補に対応する検索結果候補を取得した後、強調して提示されている前記認識結果候補に最も近いと予測される前記検索結果候補の１つを強調して提示し、
強調して提示されている前記検索結果候補が切り替わる際に、切替前の前記検索結果候補から切替後の前記検索結果候補に移動する過程を表示することを含む情報提示方法が提供される。【００１０】
本発明によれば、
コンピュータに、
少なくとも１つ以上の認識結果候補を取得した後、最も確からしい前記認識結果候補を強調して提示する機能、
強調して提示されている前記認識結果候補に対応する検索結果候補を取得した後、強調して提示されている前記認識結果候補に最も近いと予測される前記検索結果候補の１つを強調して提示する機能、
強調して提示されている前記検索結果候補が切り替わる際に、切替前の前記検索結果候補から切替後の前記検索結果候補に移動する過程を表示する機能を実現させるための情報提示用プログラムが提供される。
【発明の効果】
【００１１】
本発明によれば、認識結果候補提示と検索辞書単語提示とを連動させることで、認識結果候補と検索辞書単語との関係をユーザに直感的に提示することが可能となる。
【図面の簡単な説明】
【００１２】
上述した目的、およびその他の目的、特徴および利点は、以下に述べる好適な実施の形態、およびそれに付随する以下の図面によってさらに明らかになる。【００１３】
【図１】本発明の第１の実施形態に係る情報提示装置の構成を示すブロック図である。
【図２】本発明の第１の実施形態に係る情報提示装置の処理の流れを示すフローチャートである。
【図３】認識結果候補と検索結果候補の表示例を示す図である。
【図４】第１の実施形態に係る検索結果提示処理の流れを示すフローチャートである。
【図５】移動過程表示部が出力部上で表示する移動過程の例を示す図である。
【図６】第２の実施形態に係る情報提供装置の処理の流れを示すフローチャートである。
【図７】第２の実施形態における移動速度の違いを説明する図である。
【図８】第２の実施形態における移動速度の違いを説明する図である。
【発明を実施するための形態】
【００１４】
以下、本発明の実施の形態について、図面を用いて説明する。尚、すべての図面において、同様な構成要素には同様の符号を付し、適宜説明を省略する。
【００１５】
なお、各図に示した情報提示装置１０の各構成要素は、ハードウエア単位の構成ではなく、機能単位のブロックを示している。情報提示装置１０の各構成要素は、任意のコンピュータのＣＰＵ、メモリ、メモリにロードされた本図の構成要素を実現するプログラム、そのプログラムを格納するハードディスクなどの記憶メディア、ネットワーク接続用インタフェースを中心にハードウエアとソフトウエアの任意の組合せによって実現される。そして、その実現方法、装置には様々な変形例がある。
【００１６】
（第１の実施形態）
図１は、本発明の第１の実施形態に係る情報提示装置１０の構成を示すブロック図である。情報提示装置１０は、認識結果提示部１０２、検索結果提示部１０４、移動過程表示部１０６を有する。
【００１７】
認識結果提示部１０２は、認識結果入力部１０８から少なくとも１つ以上の認識結果候補を取得し、取得した認識結果候補の中で最も確からしい認識結果候補を強調して出力部１１２に表示する。ここで、認識結果候補とは、例えば音声認識結果、文字認識結果、画像認識結果などといった、何らかの情報を認識した結果を示す。また、認識結果候補は、図示しない認識部により生成される。認識部は、生成された各認識結果候補の確からしさを順位付けし、その順位を示す情報をそれぞれの認識結果候補に付与する。例えば、音声認識結果であれば、認識部は、入力された音声から抽出される特徴量などを基に、入力された音声と各認識結果候補との類似度を算出する。そして、認識部は、その類似度が最も高い認識結果候補から順に、確からしさを順位付けする。
【００１８】
検索結果提示部１０４は、強調して提示されている認識結果候補に対応する検索結果候補を取得した後、強調して提示されている認識結果候補に最も近いと予測される検索結果候補の１つを強調して出力部１１２に表示する。ここで、検索結果候補とは、強調して提示されている認識結果候補と対応する単語などを示す。
【００１９】
移動過程表示部１０６は、強調して提示されている前記検索結果候補が切り替わる際に、切替前の前記検索結果候補から切替後の前記検索結果候補に移動する過程を表示する。
【００２０】
本実施形態の処理の流れを、図２〜５を用いて説明する。
【００２１】
図２は、本発明の第１の実施形態に係る情報提示装置の処理の流れを示すフローチャートである。
【００２２】
認識結果提示部１０２は、図示しない認識結果入力部から、認識結果候補を少なくとも１つ以上取得する（Ｓ１０２）。そして、認識結果提示部１０２は、例えばディスプレイなどの出力部１１２に、取得した認識結果候補を出力する（Ｓ１０４）。ここで、認識結果提示部１０２は、Ｓ１０２で取得した認識結果候補の中から、最も確からしい認識結果候補を強調して提示する。認識結果提示部１０２は、例えば、認識結果候補に含まれる、当該認識結果候補の確からしさを示す指標に基づき、最も確からしい認識結果候補を強調して提示することができる。また、認識結果提示部１０２は、例えば、操作入力部１１０を介してユーザの入力に基づき認識結果候補を選択することもできる。この場合、選択された認識結果候補が、最も確からしい認識結果候補として強調して提示される。そして、認識結果提示部１０２は、強調して提示している認識結果候補の情報を検索結果提示部１０４へ送信する。なお、強調して提示している認識結果候補の情報とは、例えば、単語の表記や読みあるいはその組み合わせでも良いし、それらがインデックス化された情報でも良い。
【００２３】
検索結果提示部１０４は、認識結果提示部１０２が強調して提示している認識結果候補を取得し、当該認識結果候補に対応する検索結果候補を取得して提示する検索結果提示処理を実行する（Ｓ１０６）。なお、検索結果提示処理については後述する。
【００２４】
図３は、認識結果候補と検索結果候補の表示例を示す図である。認識結果候補が提示される領域において、認識結果提示部１０２は、例えば、認識結果候補に含まれる当該認識結果の確からしさ順に提示することができる。また、検索結果候補が提示される領域において、検索結果提示部１０４は、例えば検索結果候補の辞書順に提示することができる。
【００２５】
認識結果提示部１０２は、例えば、操作入力部１１０を介したユーザ入力に基づき、認識結果候補を選択することで、強調して提示する最も確からしい認識結果候補を切り替えることができる。なお、操作入力部１１０を介したユーザ入力は、ＣＵＩ（Character User Interface）でもよいし、ＧＵＩ（Graphical User Interface）でもよい。ここで、ユーザ入力がなく新たな認識結果候補が選択されなかった場合（Ｓ１０８のＮＯ）、検索結果提示部１０４は、Ｓ１１０の検索結果提示処理を実行せず、検索結果候補に対するユーザ入力があるか否か判定する処理を実行する（Ｓ１１２）。
【００２６】
一方、ユーザ入力があり新たな認識結果候補が選択された場合（Ｓ１０８のＹＥＳ）、検索結果提示部１０４は、認識結果提示部１０２から、Ｓ１０８で選択された認識結果候補を新たに取得し、再度検索結果提示処理を実行する（Ｓ１１０）。そして、検索結果提示部１０４は、検索結果候補に対するユーザ入力があるか否か判定する処理を実行する（Ｓ１１２）。
【００２７】
ここで、検索結果提示処理について説明する。図４は、第１の実施形態に係る検索結果提示処理の流れを示すフローチャートである。
【００２８】
検索結果提示部１０４は、認識結果提示部１０２から取得した認識結果候補に対応する検索結果候補を取得する（Ｓ２０２）。検索結果提示部１０４は、例えば、単語を記憶させた辞書を図示しない記憶部に用意しておき、単語の表記や読みあるいはその組み合わせなどを用いて、当該認識結果候補と対応する検索結果候補を取得することができる。
【００２９】
次に、検索結果提示部１０４は、認識結果提示部１０２から取得した認識結果候補とＳ２０２で取得した検索結果候補との距離を算出する（Ｓ２０４）。認識結果候補と検索結果候補との距離については、五十音順やアルファベット順などから計算することができる。なお、五十音順やアルファベット順で単語間の距離を計算する方法は、例えば文字コード順などを用いれば良く、ここでは説明を省略する。検索結果提示部１０４は、Ｓ２０２で取得した検索結果候補全てに対して距離を算出し、最も距離が小さい検索結果候補を強調して提示する対象として決定する。
【００３０】
次に、検索結果提示部１０４は、認識結果候補の選択による、強調して提示する認識結果候補の切替有無を判定する（Ｓ２０６）。Ｓ１１０で検索結果提示処理が呼び出される場合など、認識結果候補の切替がある場合（Ｓ２０６のＹＥＳ）、検索結果提示部１０４は移動過程表示部１０６に移動過程を表示する処理を実行する命令を送信する。
【００３１】
移動過程表示部１０６は、当該命令を受信すると、検索結果提示部が切替前に強調して提示していた検索結果候補から切替後に強調して提示する検索結果候補に移動する過程を算出する（Ｓ２０８）。そして、移動過程表示部１０６は、Ｓ２０２で取得した検索結果候補、Ｓ２０４で決定した強調して提示する検索結果候補、およびＳ２０８で算出した移動過程を併せて、出力部１１２で提示する（Ｓ２１０）。移動過程表示部１０６は、出力部１１２の検索結果候補が提示されている領域において、例えば切替前に強調して提示していた検索結果候補から切替後に強調して提示する検索結果候補まで、強調して提示する検索結果候補を順次移動させることで、移動する過程を表示することができる。図５は、移動過程表示部１０６が出力部１１２上で表示する移動過程の例を示す図である。
【００３２】
ここで、移動過程表示部１０６は、例えばハイライト表示を用いて、移動する過程を表示することができる。移動過程表示部１０６は、単純にハイライト表示する検索結果候補を変更するのではなく、移動の軌跡がわかるように、画面上のハイライト表示を切替前の検索結果候補から切替後の検索結果候補まで順次移動させる。これにより、認識結果候補の選択により検索結果候補が移動していることがユーザにわかりやすくなる。
【００３３】
なお、強調して提示する検索結果候補のスクロール方向は任意の方向とすることができる。また、図５に示すように、強調して提示する検索結果候補をスクロールさせて順次移動させる表現以外にも、例えば、ディスプレイ上に本の形式を再現して検索結果候補を表示し、ページをめくる演出でスクロールを表現するなどして、視覚的にユーザに提示するといったこともできる。
【００３４】
一方、Ｓ１０６で検索結果提示処理が呼び出される場合など、認識結果候補の切替がない場合（Ｓ２０６のＮＯ）、検索結果提示部１０４は、Ｓ２０８の処理を実行せず、２０２で取得した検索結果候補、およびＳ２０４で決定した強調して提示する検索結果候補を併せて、出力部１１２で提示する（Ｓ２１０）。
【００３５】
以上が、検索結果提示処理についての説明である。
【００３６】
図２に戻り説明を続行する。ユーザ入力があり、提示されている検索結果候補の中のいずれかが操作入力部１１０を介して選択された場合（Ｓ１１２のＹＥＳ）、検索結果提示部１０４は、選択された検索結果候補に対応する情報を取得して出力部に出力する（Ｓ１１４）。出力する情報としては、例えば、その単語の読み方や辞書における単語の意味、又は検索結果候補に紐付く画像や動画といった情報などが考えられる。
【００３７】
一方、ユーザ入力がなく、提示されている検索結果候補が選択されない場合（Ｓ１１２のＮＯ）、検索結果提示部１０４は、Ｓ１０８に戻りユーザからの入力を待つ。
【００３８】
以上、本実施形態に係る情報提示装置１０は、異なる基準で並べられた認識結果候補と検索結果候補との関係を、ユーザにわかりやすく提示することができる。これにより、ユーザは直感的で効率の良い情報提示・情報検索が可能となる。
【００３９】
（第２の実施形態）
【００４０】
本実施形態は、以下の点を除き、第１の実施形態と同様である。
【００４１】
本実施形態で、移動過程表示部１０６は、現在強調して提示している検索結果候補と、認識結果候補の変化に応じて次に強調して提示する検索結果候補との距離を算出し、当該距離に応じて検索結果候補間の移動速度を変更する。
【００４２】
図６は、第２の実施形態に係る情報提示装置１０の処理の流れを示すフローチャートである。
【００４３】
移動過程表示部１０６は、Ｓ２０８で移動過程を算出した後、移動速度を算出する（Ｓ３０２）。移動過程表示部１０６は、現在強調して提示している検索結果候補と、認識結果候補の変化に応じて次に強調して提示する検索結果候補間における移動の距離について、第１の実施形態と同様に、五十音順やアルファベット順などを用いて算出することができる。移動過程表示部１０６は、移動時間を一定に制御することで、離れた場所に移動するほど速度が早く、近い場所に移動するほど速度を遅くすることができる。
【００４４】
図７、８は、第２の実施形態における移動速度の違いを説明する図である。ここでは、図５に示すように、認識結果候補の領域で「どうじつ」が強調して提示され、検索結果候補の領域で「同日（どうじつ）」が強調して提示されている状態からの移動を前提として説明する。
【００４５】
図７に示すように、認識結果候補の領域で「ごじつ」を選択した場合、同じ読みを持つ「後日（ごじつ）」とその近傍の検索結果候補の位置へ移動する。一方、図８に示すように、認識結果候補の領域で「どうしつ」を選択した場合、同じ読みを持つ「同質（どうしつ）」とその近傍の検索結果候補の位置へ移動する。
【００４６】
ここで、「同日（どうじつ）」から「後日（ごじつ）」への移動に比べ、「同日（どうじつ）」から「同質（どうしつ）」への移動は、辞書順で距離が小さい。そのため、「同日（どうじつ）」から「後日（ごじつ）」へ移動する際の移動速度は、「同日（どうじつ）」から「同質（どうしつ）」へ移動する際の移動速度よりも速くなる。
【００４７】
以上、本実施形態においても、第１の実施形態と同様の効果を得ることができる。本実施形態では、距離に応じて移動速度を変更する構成を取る。本構成により、情報提示装置１０は、異なる基準で並べられた認識結果候補と検索結果候補との関係を、ユーザによりわかりやすく提示することができる。これにより、ユーザにとってより直感的で効率の良い情報提示・情報検索が可能となる。
【００４８】
以上、図面を参照して本発明の実施形態について述べたが、これらは本発明の例示であり、上記以外の様々な構成を採用することもできる。
【００４９】
また、上述の説明で用いた複数のフローチャートでは、複数の工程（処理）が順番に記載されているが、各実施形態で実行される工程の実行順序は、その記載の順番に制限されない。各実施形態では、図示される工程の順番を内容的に支障のない範囲で変更することができる。
【００５０】
なお、上述した実施形態によれば以下の発明が開示されている。
（付記１）
少なくとも１つ以上の認識結果候補を取得し、取得した前記認識結果候補の中から、最も確からしい前記認識結果候補を強調して提示する認識結果提示手段と、
強調して提示されている前記認識結果候補に対応する検索結果候補を取得し、取得した前記検索結果候補の中から、強調して提示されている前記認識結果候補に最も近いと予測される前記検索結果候補の１つを強調して提示する検索結果提示手段と、
強調して提示されている前記検索結果候補が切り替わる際に、切替前の前記検索結果候補から切替後の前記検索結果候補に移動する過程を表示する移動過程表示手段とを有する情報提示装置。
（付記２）
付記１に記載の情報提示装置において、
前記認識結果提示手段は、
前記認識結果候補に含まれる前記認識結果候補の確からしさを示す指標、または、ユーザの入力に基づき、最も確からしい前記認識結果候補を選択する情報提示装置。
（付記３）
付記１または２に記載の情報提示装置において、
前記移動過程表示手段は、
前記検索結果候補が提示されている領域で、強調して提示する前記検索結果候補を順次移動させることにより、前記検索結果候補が移動する過程を表示する情報提示装置。
（付記４）
付記１〜３のいずれか一項に記載の情報提示装置において、
前記検索結果提示手段は、
強調して提示されている前記認識結果候補と前記検索結果候補との距離を示す第１の距離を、前記検索結果ごとに算出し、前記第１の距離が最も近い前記検索結果候補を強調して提示する情報提示装置。
（付記５）
付記１〜４のいずれか一項に記載の情報提示装置において、
前記移動過程表示手段は、
現在強調して提示している前記検索結果候補と、前記認識結果候補の変化に応じて次に強調して提示する前記検索結果候補との距離を示す第２の距離を算出し、前記第２の距離に応じて前記検索結果候補間の移動速度を変更する情報提示装置。
（付記６）
付記１〜５のいずれか一項に記載の情報提示装置において、
前記認識結果提示手段は、
前記認識結果候補の確からしさを示す指標に基づき、前記認識結果候補の提示順序を決定し、
前記検索結果提示手段は、
辞書順に基づき、前記検索結果候補の提示順序を決定する情報提示装置。
（付記７）
コンピュータが、
少なくとも１つ以上の認識結果候補を取得し、取得した前記認識結果候補の中から、最も確からしい前記認識結果候補を強調して提示し、
強調して提示されている前記認識結果候補に対応する検索結果候補を取得し、取得した前記検索結果候補の中から、強調して提示されている前記認識結果候補に最も近いと予測される前記検索結果候補の１つを強調して提示し、
強調して提示されている前記検索結果候補が切り替わる際に、切替前の前記検索結果候補から切替後の前記検索結果候補に移動する過程を表示することを含む情報提示方法。
（付記８）
コンピュータに、
少なくとも１つ以上の認識結果候補を取得し、取得した前記認識結果候補の中から、最も確からしい前記認識結果候補の１つを強調して提示する機能、
強調して提示されている前記認識結果候補に対応する検索結果候補を取得し、取得した前記検索結果候補の中から、強調して提示されている前記認識結果候補に最も近いと予測される前記検索結果候補の１つを強調して提示する機能、
強調して提示されている前記検索結果候補が切り替わる際に、切替前の前記検索結果候補から切替後の前記検索結果候補に移動する過程を表示する機能を実現させるための情報提示用プログラム。
（付記９）
付記７に記載の情報提示方法において、
前記コンピュータが、
前記認識結果候補に含まれる前記認識結果候補の確からしさを示す指標、または、ユーザの入力に基づき、最も確からしい前記認識結果候補を選択することを含む情報提示方法。
（付記１０）
付記７または９に記載の情報提示方法において、
前記コンピュータが、
前記検索結果候補が提示されている領域で、強調して提示する前記検索結果候補を順次移動させることにより、前記検索結果候補が移動する過程を表示することを含む情報提示方法。
（付記１１）
付記７または９または１０のいずれか一項に記載の情報提示方法において、
前記コンピュータが、
強調して提示されている前記認識結果候補と前記検索結果候補との距離を示す第１の距離を、前記検索結果ごとに算出し、前記第１の距離が最も近い前記検索結果候補を強調して提示することを含む情報提示方法。
（付記１２）
付記７または９〜１１のいずれか一項に記載の情報提示方法において、
前記コンピュータが、
現在強調して提示している前記検索結果候補と、前記認識結果候補の変化に応じて次に強調して提示する前記検索結果候補との距離を示す第２の距離を算出し、前記第２の距離に応じて前記検索結果候補間の移動速度を変更することを含む情報提示方法。
（付記１３）
付記７または９〜１２のいずれか一項に記載の情報提示方法において、
前記コンピュータが、
前記認識結果候補の確からしさを示す指標に基づき、前記認識結果候補の提示順序を決定し、
辞書順に基づき、前記検索結果候補の提示順序を決定することを含む情報提示方法。
（付記１４）
付記８に記載の情報提示用プログラムにおいて、
前記コンピュータに、
前記認識結果候補に含まれる前記認識結果候補の確からしさを示す指標、または、ユーザの入力に基づき、最も確からしい前記認識結果候補を選択する機能を実現させるための情報提示用プログラム。
（付記１５）
付記８または１４に記載の情報提示用プログラムにおいて、
前記コンピュータに、
前記検索結果候補が提示されている領域で、強調して提示する前記検索結果候補を順次移動させることにより、前記検索結果候補が移動する過程を表示する機能を実現させるための情報提示用プログラム。
（付記１６）
付記８または１４または１５のいずれか一項に記載の情報提示用プログラムにおいて、
前記コンピュータに、
強調して提示されている前記認識結果候補と前記検索結果候補との距離を示す第１の距離を、前記検索結果ごとに算出し、前記第１の距離が最も近い前記検索結果候補を強調して提示する機能を実現させるための情報提示用プログラム。
（付記１７）
付記８または１４〜１６のいずれか一項に記載の情報提示用プログラムにおいて、
前記コンピュータに、
現在強調して提示している前記検索結果候補と、前記認識結果候補の変化に応じて次に強調して提示する前記検索結果候補との距離を示す第２の距離を算出し、前記第２の距離に応じて前記検索結果候補間の移動速度を変更する機能を実現させるための情報提示用プログラム。
（付記１８）
付記８または１４〜１７のいずれか一項に記載の情報提示用プログラムにおいて、
前記コンピュータに、
前記認識結果候補の確からしさを示す指標に基づき、前記認識結果候補の提示順序を決定する機能、
辞書順に基づき、前記検索結果候補の提示順序を決定する機能を実現させるための情報提示用プログラム。
【００５１】
この出願は、２０１２年３月２７日に出願された日本出願特願２０１２−７０６１３号を基礎とする優先権を主張し、その開示の全てをここに取り込む。
【図１】
2013145505.tif 000003
【図２】
2013145505.tif 000004
【図３】
2013145505.tif 000005
【図４】
2013145505.tif 000006
【図５】
2013145505.tif 000007
【図６】
2013145505.tif 000008
【図７】
2013145505.tif 000009
【図８】
2013145505.tif 000010
【国際調査報告】
2013145505.tif 000011
2013145505.tif 000012
2013145505.tif 000013
2013145505.tif 000014